(57)【特許請求の範囲】
【請求項１】
電力系統（Ｌ１）に接続された負荷（３）に流れる負荷電流の高調波成分を抑制するため、前記負荷電流の高調波成分と逆極性の補償電流を前記負荷（３）に向かって出力するアクティブフィルタ機能装置において、
前記負荷（３）に接続されている電力変換器（４）と、
前記電力変換器（４）にゲート制御信号を送り、このゲート制御信号に応じて前記電力変換器（４）を動作させて前記補償電流を出力させる制御部（１０）とを有し、
前記制御部（１０）は、
前記負荷電流の高調波成分を取り出して、高調波補償指令（Ｓ２ｕ，Ｓ２ｖ，Ｓ２ｗ）を求める高調波補償指令作成機能部と、
前記電力変換器（４）の交流出力電流信号（Ｉｉｎｖｕ，Ｉｉｎｖｖ，Ｉｉｎｖｗ）と前記高調波補償指令（Ｓ２ｕ，Ｓ２ｖ，Ｓ２ｗ）との偏差から偏差指令（ΔＳｕ，ΔＳｖ，ΔＳｗ）を求め、この偏差指令（ΔＳｕ，ΔＳｖ，ΔＳｗ）を電流制御部（２１１）の演算により電流制御偏差指令（ｄＳｕ，ｄＳｖ，ｄＳｗ）を求める電流制御偏差指令作成機能部と、
前記電力系統（Ｌ１）の系統電圧の位相に同期した基準電圧指令信号（Ｖｏｕ，Ｖｏｖ，Ｖｏｗ）を出力する基準電圧指令部（２１２）と、
前記負荷（３）に印加された負荷電圧信号（Ｖｌｏａｄｕ，Ｖｌｏａｄｖ，Ｖｌｏａｄｗ）と前記基準電圧指令信号（Ｖｏｕ，Ｖｏｖ，Ｖｏｗ）との偏差から偏差電圧信号（ΔＶｕ，ΔＶｖ，ΔＶｗ）を求め、この偏差電圧信号（ΔＶｕ，ΔＶｖ，ΔＶｗ）に比例係数を掛けて乗算偏差電圧信号（ＫｐΔＶｕ，ＫｐΔＶｖ，ＫｐΔＶｗ）を求める乗算偏差電圧信号作成機能部と、
前記基準電圧指令信号（Ｖｏｕ，Ｖｏｖ，Ｖｏｗ）と前記乗算偏差電圧信号（ＫｐΔＶｕ，ＫｐΔＶｖ，ＫｐΔＶｗ）とを加えた信号を、前記電流制御偏差指令（ｄＳｕ，ｄＳｖ，ｄＳｗ）に加えてＰＷＭ変調器（１４）の入力となる指令（Ｓｕ，Ｓｖ，Ｓｗ）を作成する指令作成部とを有することを特徴とするアクティブフィルタ機能装置。
【請求項２】
請求項１において、前記電力変換器（４）は、前記負荷（３）以外に直流充電部（５）にも接続されていることを特徴とするアクティブフィルタ機能装置。
【発明の詳細な説明】
【技術分野】
【０００１】
本発明は、アクティブフィルタ機能装置に関し、負荷にリアクトルが接続されていたり負荷自体がリアクトル成分を有しているため、高調波電流がリアクトルに流れて電圧降下が発生しこの電圧降下により負荷電圧に歪が発生しても、確実に高調波電流の抑制ができるように工夫したものである。
【０００２】
なお本明細書では、「アクティブフィルタ機能装置」とは、アクティブフィルタ機能を持つ単体のアクティブフィルタや、瞬低補償機能のみならずアクティブフィルタ機能をも併せ持つ瞬低補償装置や、無効電力補償機能及び逆相電力補償機能のみならずアクティブフィルタ機能をも併せ持つパワーラインコンディショナー等の、アクティブフィルタ機能を有する各種の装置を意味するものとして用いる。
【背景技術】
【０００３】
電力系統に接続される負荷の中には、高調波電流を発生する負荷がある。例えば、整流器や、インバータ装置などの電力変換装置は、高調波電流を発生する。このような負荷から発生した高調波電流が電力系統に流出すると、電力系統の電力品質が低下してしまい、他の負荷にも悪影響を与えてしまう。
【０００４】
そこで、高調波電流を抑制するために、負荷にアクティブフィルタが接続される。アクティブフィルタは、負荷が発生した高調波電流と逆極性の補償電流を出力し、高調波電流を補償電流により打ち消す。これにより、負荷から発生した高調波電流が抑制され、負荷から発生した高調波電流が電力系統に流出していくことを防止している。
【０００５】
一方、ＩＴ関連機器などの負荷では、電力系統に瞬時電圧低下（以下「瞬低」と称する）が発生すると、大きな障害となることがある。そこで、瞬低による障害が問題となる負荷では、瞬低補償装置が備えられている。
なお、瞬低とは、落雷などによる送電線事故を送電線保護リレーで除去するまでに発生する一時的な電圧低下である。
【０００６】
瞬低補償装置は、電力系統に瞬低が発生したときに、負荷と電力系統とを瞬時に切り離すと共に、負荷に対して無停電状態で電力を供給するものである。
【０００７】
更に、瞬低補償装置にアクティブフィルタ機能を併せ持たせた並列型瞬低補償装置がある。このアクティブフィルタ機能を併せ持った並列型瞬低補償装置は、平常時には負荷から発生した高調波電流を抑制する（打ち消す）補償電流を出力すると共に、瞬低発生時には、負荷と電力系統とを瞬時に切り離すと共に、負荷に対して無停電状態で三相電力を供給するものである。
【０００８】
ここで、アクティブフィルタ機能を併せ持った並列型瞬低補償装置の回路構成を、図２を参照して説明する。
【０００９】
図２に示すように、商用電源１を含む電力系統Ｌ１には、高速スイッチ２を介して負荷３が接続されている。高速スイッチ２は、例えばＩＧＢＴ等により構成されている。
【００１０】
電力変換器４は、逆変換動作（インバータ動作）と順変換動作（コンバータ動作）ができるインバータ装置等で構成されている。この電力変換器４には、その直流側に電気二重層キャパシタ（直流充電部）５が接続されており、その交流側には電力ラインＬ２を介して負荷３が接続されている。
【００１１】
この電力変換器４は、次のような動作機能を果たすものである。
（１）順変換動作（コンバータ動作）をすることにより、電力系統Ｌ１から得た交流電流を直流電流に変換し、この直流電流により電気二重層キャパシタ５を充電する。
（２）瞬低が発生した時に、逆変換動作（インバータ動作）をすることにより、電気二重層キャパシタ５に充電した直流電流を交流電流に変換し、この交流電流を負荷３に送る。つまり、瞬低補償装置としての動作機能を果たす。
（３）負荷３から発生する高調波電流と逆極性の補償電流を出力し、この補償電流により高調波電流を打ち消す。つまり、アクティブフィルタとしての動作機能を果たす。
【００１２】
制御部１０は、電力変換器４を、瞬低補償装置として動作させたりアクティブフィルタとして動作させたり充電装置として動作させたりするように、電力変換器４の動作状態を制御すると共に、高速スイッチ２のスイッチング動作を制御するものである。
【００１３】
制御部１０について詳細に説明すると、この制御部１０は、検出器として、電力系統Ｌ１の系統電圧を検出してその検出値を示す系統電圧信号Ｖｓを出力する電圧検出器１１ａと、電力系統Ｌ１の系統電流を検出してその検出値を示す系統電流信号Ｉｓを出力する電流検出器１１ｂと、電力変換器４の交流出力電流（インバータ出力電流）を検出してその検出値を示す交流出力電流信号（インバータ出力電流信号）Ｉｉｎｖを出力する電流検出器１１ｃと、負荷３に印加された電圧である負荷電圧を検出してその検出値を示す負荷電圧信号Ｖｌｏａｄを出力する電圧検出器１１ｄと、負荷３に流れる電流である負荷電流を検出してその検出値を示す負荷電流信号Ｉｌｏａｄを出力する電流検出器１１ｅと、電気二重層キャパシタ５の充電電圧であるキャパシタ電圧（直流充電電圧）を検出してその検出値を示すキャパシタ電圧信号（直流充電電圧信号）Ｖｃを出力する電圧検出器１１ｆを有している。
【００１４】
更に制御部１０は、ＰＬＬ（Phase  Locked  Loop）回路１２と、正弦波発生器１３と、ＰＷＭ（Pulse  Width  Modulation）変調器１４と、スイッチ操作部１５と、指令作成部２０を有している。
【００１５】
指令作成部２０は、電力変換器４を動作させる指令Ｓを出力する。
この指令Ｓの指令内容は、
（１）電力変換器４を順変換動作（コンバータ動作）させることにより電気二重層キャパシタ５を充電するように指令する充電指令と、
（２）瞬低が発生した時に電力変換器４を逆変換動作（インバータ動作）させることにより負荷３に交流電力を送るように指令する瞬低補償指令と、
（３）負荷３から発生する高調波電流と逆極性の補償電流を出力して、この補償電流により高調波電流を打ち消すように指令する高調波補償指令と、を含むものである。
【００１６】
指令Ｓは、ＰＷＭ変調器１４によりＰＷＭ変調されてゲート制御信号ｇとなり、このゲート制御信号ｇ、つまりＰＷＭ変調された指令Ｓにより電力変換器４のゲート制御が行われる。
【００１７】
電力系統Ｌ１に瞬低が発生していない平常時には、高速スイッチ２が導通状態となっており、商用電源１の電力が電力系統Ｌ１から高速スイッチ２を介して負荷３に供給される。
【００１８】
このような平常時において、電圧検出器１１ｆにより検出したキャパシタ電圧信号Ｖｃが、電気二重層キャパシタ５の定格電圧よりも低くなった状態では、指令Ｓの中に充電指令が含まれ、この充電指令を含んだ指令Ｓにより、電力変換器４がコンバータ動作をして電気二重層キャパシタ５を浮動充電する。これにより、電気二重層キャパシタ５の電圧は、定格電圧に保持される。
【００１９】
また瞬低が発生していない平常時において、電流検出器１１ｅにより検出した負荷電流信号Ｉｌｏａｄに高調波電流が含まれている場合には、高調波補償指令が指令Ｓに含まれ、この高調波補償指令を含んだ指令Ｓにより、電力変換器４は補償電流を負荷４に向けて出力する。これによりアクティブフィルタとしての機能が発揮される。
【００２０】
電力系統Ｌ１に瞬低が発生し、電圧検出器１１ａにより検出した系統電圧信号Ｖｓが低下した場合には、スイッチ操作部１５により高速スイッチ２が切り離される。同時に、指令Ｓの中に瞬低補償指令が含まれ、この瞬低補償指令を含んだ指令Ｓにより、電力変換器４がインバータ動作をして、電気二重層キャパシタ５に充電されている直流電流を交流電流に変換して負荷４に送る。これにより瞬低補償機能が発揮される。
【００２１】
ここで、電力変換器４がアクティブフィルタ機能動作をするように、高調波補償指令を含んだ指令Ｓを作成する従来手法を、ブロック図である図３を参照して説明する。
この図３は、制御部１０のうち、特にアクティブフィルタとしての機能が発揮されるように指令Ｓを作成するときに必要な機能ブロックのみを示したものである。
【００２２】
図３に示すように、充電指令部２０１は、電圧検出器１１ｆにより検出したキャパシタ電圧（直流充電電圧）信号Ｖｃに応じて、充電指令Ｓ１ｕ，Ｓ１ｖ，Ｓ１ｗを出力する。充電指令Ｓ１ｕ，Ｓ１ｖ，Ｓ１ｗの指令値は、キャパシタ電圧（直流充電電圧）信号Ｖｃが電気二重層キャパシタ５の定格電圧であるときには０となり、キャパシタ電圧（直流充電電圧）信号Ｖｃが電気二重層キャパシタ５の定格電圧に対して低くなるにつれて高くなる。
【００２３】
ＰＬＬ回路１２は、電圧検出器１１ａにより検出した系統電圧信号Ｖｓｕ、Ｖｓｖ，Ｖｓｗを基にＰＬＬ演算を行い、電力系統Ｌ１に流れる三相交流電圧の正相分の位相θを求めて出力する。
正弦波発振器１３は、位相θを用いて、正弦波信号sinθ及び余弦波信号cosθを求め、この正弦波信号sinθ及び余弦波信号cosθを、三相／ｄｑ座標変換回路２０２とｄｑ／三相座標変換回路２０３に送る。
【００２４】
三相／ｄｑ座標変換回路２０２は、電流検出器１１ｅにより検出した三相の負荷電流信号Ｉｌｏａｄｕ，Ｉｌｏａｄｖ，Ｉｌｏａｄｗを、ｄｑ座標に変換して、ｄ軸電流ｉｄとｑ軸電流ｉｑを出力する。
偏差演算部２０４では、ｄ軸電流ｉｄから、ｄ軸電流ｉｄをローパスフィルタ２０５でフィルタリングした基本波成分を引くことにより、ｄ軸高調波成分ｉｄｈを求める。
偏差演算部２０６では、ｑ軸電流ｉｑから、ｑ軸電流ｉｑをローパスフィルタ２０７でフィルタリングした基本波成分を引くことにより、ｑ軸高調波成分ｉｑｈを求める。
【００２５】
ｄｑ／三相座標変換回路２０３は、ｄ軸高調波成分ｉｄｈ及びｑ軸高調波成分ｉｑｈを三相回転座標に変換して三相の高調波成分を出力し、この三相の高調波成分を反転回路２０８で符号反転（つまり「−１」を乗算）することにより、高調波補償指令Ｓ２ｕ，Ｓ２ｖ，Ｓ２ｗが得られる。
【００２６】
結局、三相／ｄｑ座標変換回路２０２と、ｄｑ／三相座標変換回路２０３と、偏差演算部２０４，２０６と、ローパスフィルタ２０５，２０７と、判定回路２０８により、高調波補償指令作成機能部が構成されている。
【００２７】
加算部２０９では、充電指令Ｓ１ｕ，Ｓ１ｖ，Ｓ１ｗと高調波補償指令Ｓ２ｕ，Ｓ２ｖ，Ｓ２ｗとが加算される。
【００２８】
減算部２１０では、充電指令Ｓ１ｕ，Ｓ１ｖ，Ｓ１ｗと高調波補償指令Ｓ２ｕ，Ｓ２ｖ，Ｓ２ｗとを加算した加算指令から、電流検出器１１ｃで検出したインバータ出力電流信号Ｉｉｎｖｕ，Ｉｉｎｖｖ，Ｉｉｎｖｗが減算されて、偏差指令ΔＳｕ、ΔＳｖ、ΔＳｗが出力される。
【００２９】
電流制御部２１１は、偏差指令ΔＳｕ、ΔＳｖ、ΔＳｗを比例・積分（Ｐ・Ｉ）演算して比例・積分偏差指令ｄｓｕ，ｄｓｖ、ｄｓｗを出力する。
【００３０】
結局、減算部２１０と、電流制御部２１１により、電流制御偏差指令作成機能部が構成されている。
【００３１】
基準電圧指令部２１２は、ＰＬＬ回路１２から位相θを取り込み、電力系統Ｌが供給する三相電圧（高調波成分を含まず、且つ、位相ズレのない三相電圧）の電圧値を示す基準電圧指令信号Ｖｏｕ，Ｖｏｖ，Ｖｏｗを出力する。電力系統Ｌが供給する三相電圧の電圧値は予め分かっているので、基準電圧指令信号Ｖｏｕ，Ｖｏｖ，Ｖｏｗの値は基準電圧指令部２１２にプリセットされている。
【００３２】
加算部２１３は、電流制御部２１１から出力された比例・積分偏差指令ｄｓｕ，ｄｓｖ、ｄｓｗと、基準電圧指令部２１２から出力された基準電圧指令信号Ｖｏｕ，Ｖｏｖ，Ｖｏｗを加算して、最終的な指令Ｓｕ，Ｓｖ，Ｓｗを出力する。なお、この最終的な指令Ｓｕ，Ｓｖ，Ｓｗは、図２では指令Ｓとして示している。
【００３３】
最終的な指令Ｓｕ，Ｓｖ，Ｓｗは、ＰＷＭ変調器１４によりＰＷＭ変調されてゲート信号ｇとなって電力変換器４に送られる。
【００３４】
したがって、負荷電流に高調波電流が含まれている場合には、負荷電流検出信号Ｉｌｏａｄｕ，Ｉｌｏａｄｖ，Ｉｌｏａｄｗに高調波成分が含まれ、ｄ軸高調波成分ｉｄｈ及びｑ軸高調波成分ｉｑｈが発生して、高調波補償指令Ｓ２ｕ，Ｓ２ｖ、Ｓ２ｗが発生し、最終的な指令Ｓｕ，Ｓｖ，Ｓｗには高調波を補償する補償指令が含まれる。
【００３５】
このようにして高調波を補償する補償指令（高調波補償指令Ｓ２ｕ，Ｓ２ｖ、Ｓ２ｗにより示される補償指令）を含む指令Ｓｕ，Ｓｖ，Ｓｗが電力変換器４に送られると、電力変換器４は、発生した高調波電流を補償する補償電流を電力ラインＬ２を介して負荷３側に出力する。かくして、高調波電流を打ち消してアクティブフィルタとしての動作機能が発揮される。
【００３６】
【特許文献１】特開２００２−３２０３３１号公報
【特許文献２】特開平１１−１０３５２７号公報
【発明の開示】
【発明が解決しようとする課題】
【００３７】
ところで、前述したようなアクティブフィルタ機能を有する並列型瞬低補償装置では、高速スイッチ２と負荷３との間に、または、電力系統Ｌのうち高速スイッチ２から見て商用電源側に、高周波電流を抑制するパッシブフィルタとして機能するリアクトルを介装する場合がある。
また、負荷３自体に、大きなリアクトル成分を有する場合がある。
図２において、リアクトルＬは、パッシブフィルタを介装した場合のパッシブフィルタのリアクトル、または、負荷３自体に大きなリアクトル成分を有する場合のリアクトルを、概括的に示している。
なお、電力系統Ｌのうち高速スイッチ２から見て商用電源１側にパッシブフィルタとして機能するリアクトルを介装した場合には、リアクトルＬは高速スイッチ２よりも商用電源側に表記すべきであるが、図２ではこのことをも含めて、高速スイッチ２よりも負荷３側に表記したリアクトルＬでもって代表して示している。
【００３８】
このように、リアクトルＬが存在する場合には、負荷３から発生した高調波電流がリアクトルＬに流れることにより、リアクトルＬに電圧降下が生じる。この電圧降下の値は、リアクトルＬのリアクタンスに、高調波電流を掛けたものとなる。
【００３９】
このように、リアクトルＬに高調波電流が流れることにより生ずる電圧降下が発生するため、負荷電圧が歪んでしまう。
【００４０】
しかし従来では、図３に示すように、負荷電圧が歪むことを考慮することなく、アクティブフィルタとしての動作機能を発揮させる指令Ｓを求めていた。したがって、歪んだ負荷電圧を考慮することなく求めた指令Ｓを用いて、電力変換器４をアクティブフィルタとして動作させても、高調波電流の補償を完全には行うことはできないという問題があった。
【００４１】
例えばリアクトルＬが、パッシブフィルタを介装することにより生じたものである場合には、パッシブフィルタのインダクタンス設計値を考慮して、指令Ｓを作成すれば、負荷電圧が歪んでも、ある程度は高調波抑制を行うことができる。
しかし、経年劣化等によりパッシブフィルタのインダクタンスが変化してきた場合には、負荷電圧の歪が発生すると、従来技術では、高調波電流の補償を完全には行うことができない。
【００４２】
またリアクトルＬが負荷３自体に含まれるものである場合には、このリアクトルＬのリアクタンスが特定できないため、負荷電圧の歪が発生すると、従来技術では、高調波の補償を完全には行うことができない。
【００４３】
本発明は上記従来技術に鑑み、リアクトル要素（リアクトルＬ１）の存在により（換言すると、電力変換器の負荷側にリアクトル要素が存在することにより）、負荷から発生した高調波電流がリアクトル要素に流れて負荷電圧が歪んでも、負荷から発生する高調波電流を確実に抑制することができるアクティブフィルタ機能装置を提供することを目的とする。
【課題を解決するための手段】
【００４４】
上記課題を解決する本発明の構成は、電力系統（Ｌ１）に接続された負荷（３）に流れる負荷電流の高調波成分を抑制するため、前記負荷電流の高調波成分と逆極性の補償電流を前記負荷（３）に向かって出力するアクティブフィルタ機能装置において、
前記負荷（３）に接続されている電力変換器（４）と、
前記電力変換器（４）にゲート制御信号を送り、このゲート制御信号に応じて前記電力変換器（４）を動作させて前記補償電流を出力させる制御部（１０）とを有し、
前記制御部（１０）は、
前記負荷電流の高調波成分を取り出して、高調波補償指令（Ｓ２ｕ，Ｓ２ｖ，Ｓ２ｗ）を求める高調波補償指令作成機能部と、
前記電力変換器（４）の交流出力電流信号（Ｉｉｎｖｕ，Ｉｉｎｖｖ，Ｉｉｎｖｗ）と前記高調波補償指令（Ｓ２ｕ，Ｓ２ｖ，Ｓ２ｗ）との偏差から偏差指令（ΔＳｕ，ΔＳｖ，ΔＳｗ）を求め、この偏差指令（ΔＳｕ，ΔＳｖ，ΔＳｗ）を電流制御部（２１１）の演算により電流制御偏差指令（ｄＳｕ，ｄＳｖ，ｄＳｗ）を求める電流制御偏差指令作成機能部と、
前記電力系統（Ｌ１）の系統電圧の位相に同期した基準電圧指令信号（Ｖｏｕ，Ｖｏｖ，Ｖｏｗ）を出力する基準電圧指令部（２１２）と、
前記負荷（３）に印加された負荷電圧信号（Ｖｌｏａｄｕ，Ｖｌｏａｄｖ，Ｖｌｏａｄｗ）と前記基準電圧指令信号（Ｖｏｕ，Ｖｏｖ，Ｖｏｗ）との偏差から偏差電圧信号（ΔＶｕ，ΔＶｖ，ΔＶｗ）を求め、この偏差電圧信号（ΔＶｕ，ΔＶｖ，ΔＶｗ）に比例係数を掛けて乗算偏差電圧信号（ＫｐΔＶｕ，ＫｐΔＶｖ，ＫｐΔＶｗ）を求める乗算偏差電圧信号作成機能部と、
前記基準電圧指令信号（Ｖｏｕ，Ｖｏｖ，Ｖｏｗ）と前記乗算偏差電圧信号（ＫｐΔＶｕ，ＫｐΔＶｖ，ＫｐΔＶｗ）とを加えた信号を、前記電流制御偏差指令（ｄＳｕ，ｄＳｖ，ｄＳｗ）に加えてＰＷＭ変調器（１４）の入力となる指令（Ｓｕ，Ｓｖ，Ｓｗ）を作成する指令作成部とを有することを特徴とする。
【００４５】
また本発明の構成は、前記電力変換器（４）は、前記負荷（３）以外に直流充電部（５）にも接続されていることを特徴とする。
【発明の効果】
【００４６】
本発明によれば、電力変換器が補償電流を出力してアクティブフィルタとしての機能を発揮するよう制御する場合において、電力変換器に送る指令の中に、負荷電圧の歪を示す偏差電圧信号を加えている。
このため、負荷自体がリアクトル成分を有していたり、負荷にパッシブフィルタとしてのリアクトルを接続したため、負荷から発生する高調波電流が前記リアクトルに流れて発生した電圧降下に起因して負荷電圧に歪が生じても、前記高調波電流を確実に補償することができる補償電流を交流変換器から出力することができる。
【発明を実施するための最良の形態】
【００４７】
以下に本発明を実施するための最良の形態を実施例に基づき詳細に説明する。
【実施例１】
【００４８】
本発明に係る実施例１は、図２に示す制御部１０において、電力変換器４をアクティブフィルタとして機能させる制御ブロックに工夫をしたものであり、図１を参照してその詳細を説明する。
なお、図１において、図３と同様な機能を果たす部分には、同一符号を付して重複する説明は省略する。
【００４９】
図１に示すように実施例１では、図３に示す「電力変換器４をアクティブフィルタとして機能させる制御ブロック」に、更に、減算部２２０と、乗算部２２１と、加算部２２２を追加した構成となっている。
【００５０】
減算部２２０は、基準電圧指令部２１２から出力された基準電圧指令信号Ｖｏｕ，Ｖｏｖ，Ｖｏｗと、電圧検出器１１ｄにより検出した負荷電圧信号Ｖｌｏａｄｕ，Ｖｌｏａｄｖ，Ｖｌｏａｄｗとの偏差を求めて、偏差電圧信号ΔＶｕ，ΔＶｖ、ΔＶｗを出力する。
この偏差電圧信号ΔＶｕ，ΔＶｖ、ΔＶｗは、負荷３から発生した高調波電流がリアクトルＬに流れることに起因して負荷電圧が歪んだときにおける、歪電圧（歪分）の値を示すものとなっている。
【００５１】
乗算部２２１は、偏差電圧信号ΔＶｕ，ΔＶｖ、ΔＶｗに比例ゲインＫｐを乗算して、乗算偏差電圧信号ＫｐΔＶｕ，ＫｐΔＶｖ、ＫｐΔＶｗを出力する。
【００５２】
結局、減算部２２０と、乗算部２２１とにより、乗算偏差電圧信号作成機能部が構成されている。
【００５３】
加算部２２２は、基準電圧指令部２１２から出力された基準電圧指令信号Ｖｏｕ，Ｖｏｖ，Ｖｏｗに、乗算偏差電圧信号ＫｐΔＶｕ，ＫｐΔＶｖ、ＫｐΔＶｗを加算して出力する。
【００５４】
このため、加算部２１３では、電流制御部２１１から出力された比例・積分偏差指令ｄｓｕ，ｄｓｖ、ｄｓｗに、基準電圧指令信号Ｖｏｕ，Ｖｏｖ，Ｖｏｗのみならず、負荷電圧の歪分に相当する乗算偏差電圧信号ＫｐΔＶｕ，ＫｐΔＶｖ、ＫｐΔＶｗも加算され、この加算値が指令Ｓｕ，Ｓｖ，Ｓｗとして出力される。
【００５５】
結局、加算部２２２と加算部２１３とにより、指令作成部が構成されている。
【００５６】
負荷電圧の歪分に相当する乗算偏差電圧信号ＫｐΔＶｕ，ＫｐΔＶｖ、ＫｐΔＶｗをも指令として含む指令Ｓｕ，Ｓｖ，Ｓｗは、ＰＷＭ変調器１４によりＰＷＭ変調されてゲート信号ｇとなって電力変換器４に送られる。
【００５７】
この結果、電力変換器４は、負荷３から発生した高調波電流を補償する補償電流を出力する。このとき、指令Ｓｕ，Ｓｖ，Ｓｗには負荷電圧の歪分に相当する乗算偏差電圧信号ＫｐΔＶｕ，ＫｐΔＶｖ、ＫｐΔＶｗも含まれているため、リアクトルＬに高調波電流が流れることにより負荷電圧に歪が発生していても、歪を考慮した補償電流により高調波電流の補償を確実に行うことができる。
つまり、リアクトルＬに高調波電流が流れることにより負荷電圧に歪が発生した場合には、この歪を補償するように、乗算偏差電圧信号ＫｐΔＶｕ，ＫｐΔＶｖ、ＫｐΔＶｗによりフィードフォワード制御が行なわれる。
【００５８】
このため、パッシブフィルタを備えたり、負荷３にリアクトル分が存在する場合であっても、電力変換器４からは、負荷３から発生する高調波電流を確実に抑制する補償電流を出力することができる。
この結果、リアクトルＬが存在していても、高調波電流を確実に抑制することができるアクティブフィルタが実現できる。
【００５９】
なお本発明は、実施例で説明したような、アクティブフィルタ機能をも併せ持つ並列型瞬低補償装置のみならず、アクティブフィルタ機能を持つ単体のアクティブフィルタや、無効電力補償機能及び逆相電力補償機能のみならずアクティブフィルタ機能をも併せ持つパワーラインコンディショナー等の、各種のアクティブフィルタ機能装置にも適用することができる。
【図面の簡単な説明】
【００６０】
【図１】本発明の実施例に係る制御部のアクティブフィルタ機能部分を示すブロック構成図である。
【図２】アクティブフィルタ機能を併せ持つ並列型瞬低補償装置を示す回路構成図である。
【図３】従来技術における制御部のアクティブフィルタ機能部分を示すブロック図である。
【符号の説明】
【００６１】
１  商用電源
２  高速スイッチ
３  負荷
４  電力変換器
５  電気二重層キャパシタ
１０  制御部
【図１】
0004935617.tif 000002
【図２】
0004935617.tif 000003
【図３】
0004935617.tif 000004